(57)【特許請求の範囲】
【請求項１】
透明基板と、
前記透明基板上に第１方向に沿って接続されるように形成された複数の第１感知セル、及び前記第１感知セルの間に配置され、前記第１方向と交差する第２方向に沿って接続されるように形成された複数の第２感知セルと、
前記第１感知セルを前記第１方向に沿って接続する複数の第１接続パターン、及び前記第２感知セルを前記第２方向に沿って接続する複数の第２接続パターンと、
前記第１感知セルまたは前記第２感知セルに接続され、それぞれ自身が接続された感知セルから隣接する感知セルに向かう方向に延び、その端部が前記隣接する感知セルと重なるように形成された複数の静電気誘導パターンと、
前記第１接続パターンと前記第２接続パターンとの間及び前記静電気誘導パターンと前記隣接する感知セルとの間に介在する第１絶縁膜とを含み、
前記第１接続パターンは、前記第１感知セルから分離されたパターンを有し、前記第１感知セルの上部または下部で前記第１感知セルに電気的に接続され、かつ、前記第１感知セルを前記第１方向に沿ったライン単位で接続し、
前記静電気誘導パターンは、前記第１接続パターンの一領域で分岐されて前記第１接続パターンと一体に形成されたパターンを有することを特徴とするタッチスクリーンパネル。
【請求項２】
前記静電気誘導パターンは、前記第１接続パターンと同一レイヤに配置され、前記第１接続パターンと同じ物質で構成されることを特徴とする請求項１に記載のタッチスクリーンパネル。
【請求項３】
前記第１接続パターンと一体に形成されたパターンは、前記第１接続パターンの一領域で２つ以上の枝に分岐されて前記第１接続パターンと一体に形成されることを特徴とする請求項１に記載のタッチスクリーンパネル。
【請求項４】
前記第１接続パターンは、前記第１感知セルの上部または下部で前記第１絶縁膜に形成された第１コンタクトホールを介して前記第１感知セルに電気的に接続されることを特徴とする請求項１〜３のいずれか１項に記載のタッチスクリーンパネル。
【請求項５】
前記静電気誘導パターンは、前記第１接続パターンの前記第１コンタクトホールが形成された領域で分岐されて前記第１接続パターンと一体に形成されることを特徴とする請求項４に記載のタッチスクリーンパネル。
【請求項６】
前記静電気誘導パターンは、さらに、前記第１接続パターンと同一レイヤに配置され、前記第１接続パターンから分離されたパターンを有することを特徴とする請求項１に記載のタッチスクリーンパネル。
【請求項７】
前記分離されたパターンは、前記第１接続パターンと同じ物質で形成されることを特徴とする請求項６に記載のタッチスクリーンパネル。
【請求項８】
前記第１接続パターンは、前記第１感知セルの上部または下部で前記第１絶縁膜に形成された第１コンタクトホールを介して前記第１感知セルに電気的に接続され、
前記分離されたパターンは、前記第１または前記第２感知セルの上部または下部で前記第１絶縁膜に形成された第２コンタクトホールを介して前記第１または前記第２感知セルに電気的に接続されることを特徴とする請求項６に記載のタッチスクリーンパネル。
【請求項９】
前記第１コンタクトホール及び前記第２コンタクトホールは、隣接する領域に配置され、
１つの前記第１または第２感知セルと１つの前記分離されたパターンとを接続する前記第２コンタクトホールの数は、１つの前記第１感知セルと１つの前記第１接続パターンとを接続する前記第１コンタクトホールの数より多く設定されることを特徴とする請求項８に記載のタッチスクリーンパネル。
【請求項１０】
前記分離されたパターンは、前記第１及び第２接続パターンから所定距離以上離隔して形成されることを特徴とする請求項６に記載のタッチスクリーンパネル。
【請求項１１】
前記分離されたパターンは、前記第１及び第２感知セルの前記第１及び第２接続パターンにより接続される端部と異なる端部に配置されることを特徴とする請求項１０に記載のタッチスクリーンパネル。
【請求項１２】
前記静電気誘導パターンは、
前記第１感知セルに接続され、それぞれ自身が接続された第１感知セルから隣接する第２感知セルに向かう方向に延びた第１静電気誘導パターンと、
前記第２感知セルに接続され、それぞれ自身が接続された第２感知セルから隣接する第１感知セルに向かう方向に延びた第２静電気誘導パターンとを含むことを特徴とする請求項１〜１１のいずれか１項に記載のタッチスクリーンパネル。
【請求項１３】
前記第１感知セル及び前記第２感知セルをそれぞれ前記第１方向及び前記第２方向に沿ったライン単位で外部の駆動回路と接続するための外郭配線をさらに含み、
前記第１接続パターン及び前記静電気誘導パターンは、前記外郭配線と同じ物質で同一レイヤに形成されていることを特徴とする請求項１〜１２のいずれか１項に記載のタッチスクリーンパネル。
【請求項１４】
前記外郭配線、前記第１接続パターン及び前記静電気誘導パターンは、金属物質で形成されていることを特徴とする請求項１３に記載のタッチスクリーンパネル。
【請求項１５】
前記第１感知セル、前記第２感知セル及び前記第２接続パターンは、透明電極物質で形成され、
前記第１接続パターン及び静電気誘導パターンは、不透明金属物質で形成されるが、前記第２接続パターンの幅より狭い幅を有するように形成されることを特徴とする請求項１〜１４のいずれか１項に記載のタッチスクリーンパネル。
【請求項１６】
前記透明基板がディスプレイパネルの上部基板に設定され、前記ディスプレイパネルと一体化されて形成されることを特徴とする請求項１〜１５のいずれか１項に記載のタッチスクリーンパネル。
【請求項１７】
前記第１絶縁膜は、前記第１及び第２感知セルが形成されたタッチ活性領域に全面的に形成された無機絶縁膜に設定されることを特徴とする請求項１６に記載のタッチスクリーンパネル。
【発明の詳細な説明】
【技術分野】
【０００１】
本発明は、タッチスクリーンパネルに関し、特に、静電気による駆動不良が防止できるようにしたタッチスクリーンパネルに関する。
【背景技術】
【０００２】
タッチスクリーンパネルは、映像表示装置などの画面に現れた指示内容を人の手または物体で選択することでユーザの命令を入力できるようにした入力装置である。
【０００３】
このため、タッチスクリーンパネルは、映像表示装置の前面（ｆｒｏｎｔ  ｆａｃｅ）に備えられ、人の手または物体に直接接触した接触位置を電気的信号に変換する。これにより、接触位置で選択された指示内容が入力信号として受信される。
【０００４】
このようなタッチスクリーンパネルは、キーボードやマウスのように、映像表示装置に接続されて動作する別途の入力装置を代替できるため、その使用範囲が次第に拡大する傾向にある。
【０００５】
タッチスクリーンパネルを実現する方式としては、抵抗膜方式、光感知方式、及び静電容量方式などが知られている。
【０００６】
このうち、静電容量方式のタッチスクリーンパネルは、人の手または物体が接触したとき、導電性感知セルが周辺の他の感知セルまたは接地電極などと形成する静電容量の変化を感知することにより、接触位置を電気的信号に変換する。
【０００７】
ここで、接触面での接触位置を明確に判断するために、感知セルは、第１接続パターンにより第１方向に沿って接続されるように形成された第１感知セルと、第２接続パターンにより、前記第１方向と交差する第２方向に沿って接続されるように形成された第２感知セルとを含んで構成される。
【先行技術文献】
【特許文献】
【０００８】
【特許文献１】特開２００８−３１０５５０号公報
【特許文献２】韓国登録特許第１０４０８８１号明細書
【発明の概要】
【発明が解決しようとする課題】
【０００９】
一般的に、第１接続パターン及び第２接続パターンは、絶縁膜を間に介在し、互いに絶縁されながら交差するようになるが、これらは、感知セル自体のパターンに比べて幅が狭く、相対的に抵抗が大きい。したがって、第１接続パターンと第２接続パターンとの交差部は静電気によって損傷しやすい。
【００１０】
このように、第１接続パターンと第２接続パターンとの交差部で静電気により絶縁破壊や断線などの損傷が発生した場合、タッチスクリーンパネルの駆動不良がもたらされる。
【００１１】
そこで、本発明の目的は、静電気による駆動不良が防止できるようにしたタッチスクリーンパネルを提供することにある。
【課題を解決するための手段】
【００１２】
このような目的を達成するために、本発明は、透明基板と、前記透明基板上に第１方向に沿って接続されるように形成された複数の第１感知セル、及び前記第１感知セルの間に配置され、前記第１方向と交差する第２方向に沿って接続されるように形成された複数の第２感知セルと、前記第１感知セルを前記第１方向に沿って接続する複数の第１接続パターン、及び前記第２感知セルを前記第２方向に沿って接続する複数の第２接続パターンと、前記第１感知セルまたは前記第２感知セルに接続され、それぞれ自身が接続された感知セルから隣接する感知セルに向かう方向に延び、その端部が前記隣接する感知セルと重なるように形成された複数の静電気誘導パターンと、前記第１接続パターンと前記第２接続パターンとの間及び前記静電気誘導パターンと前記隣接する感知セルとの間に介在する第１絶縁膜とを含むタッチスクリーンパネルを提供する。
【００１３】
ここで、前記第１接続パターンは、前記第１感知セルから分離されたパターンを有し、前記第１感知セルの上部または下部で前記第１感知セルに電気的に接続され、かつ、前記第１感知セルを前記第１方向に沿ったライン単位で接続することができる。
【００１４】
また、前記静電気誘導パターンは、前記第１接続パターンと同一レイヤに配置され、前記第１接続パターンと同じ物質で構成できる。
【００１５】
さらに、前記静電気誘導パターンは、前記第１接続パターンの一領域で分岐されて前記第１接続パターンと一体に形成できる。
【００１６】
ここで、前記静電気誘導パターンは、前記第１接続パターンの一領域で２つ以上の枝に分岐されて前記第１接続パターンと一体に形成できる。
【００１７】
また、前記第１接続パターンは、前記第１感知セルの上部または下部で前記第１絶縁膜に形成された第１コンタクトホールを介して前記第１感知セルに電気的に接続できる。
【００１８】
ここで、前記静電気誘導パターンは、前記第１接続パターンの前記第１コンタクトホールが形成された領域で分岐されて前記第１接続パターンと一体に形成できる。
【００１９】
また、前記静電気誘導パターンは、前記第１接続パターンと同一レイヤに配置され、前記第１接続パターンから分離されたパターンを有することができる。
【００２０】
このとき、前記静電気誘導パターンは、前記第１接続パターンと同じ物質で形成できる。
【００２１】
また、前記静電気誘導パターンは、前記第１接続パターンと前記第１感知セルとの接続部に隣接して配置できる。
【００２２】
さらに、前記第１接続パターンは、前記第１感知セルの上部または下部で前記第１絶縁膜に形成された第１コンタクトホールを介して前記第１感知セルに電気的に接続され、前記静電気誘導パターンは、前記第１または前記第２感知セルの上部または下部で前記第１絶縁膜に形成された第２コンタクトホールを介して前記第１または前記第２感知セルに電気的に接続できる。
【００２３】
ここで、前記第１コンタクトホール及び前記第２コンタクトホールは、隣接する領域に配置され、１つの前記第１または第２感知セルと１つの前記静電気誘導パターンとを接続する前記第２コンタクトホールの数は、１つの前記第１感知セルと１つの前記第１接続パターンとを接続する前記第１コンタクトホールの数より多く設定できる。
【００２４】
また、前記静電気誘導パターンは、前記第１及び第２接続パターンから所定距離以上離隔して形成できる。
【００２５】
さらに、前記静電気誘導パターンは、前記第１及び第２感知セルの前記第１及び第２接続パターンにより接続される端部と異なる端部に配置できる。
【００２６】
また、前記静電気誘導パターンは、前記第１感知セルに接続され、それぞれ自身が接続された第１感知セルから隣接する第２感知セルに向かう方向に延びた第１静電気誘導パターンと、前記第２感知セルに接続され、それぞれ自身が接続された第２感知セルから隣接する第１感知セルに向かう方向に延びた第２静電気誘導パターンとを含むことができる。
【００２７】
さらに、前記タッチスクリーンパネルは、前記第１感知セル及び前記第２感知セルをそれぞれ前記第１方向及び前記第２方向に沿ったライン単位で外部の駆動回路と接続するための外郭配線をさらに含み、前記第１接続パターン及び前記静電気誘導パターンは、前記外郭配線と同じ物質で同一レイヤに形成できる。
【００２８】
ここで、前記外郭配線、前記第１接続パターン及び前記静電気誘導パターンは、金属物質で形成できる。
【００２９】
また、前記第１感知セル、前記第２感知セル及び前記第２接続パターンは、透明電極物質で形成され、前記第１接続パターン及び静電気誘導パターンは、不透明金属物質で形成されるが、前記第２接続パターンの幅より狭い幅を有するように形成できる。
【００３０】
さらに、前記透明基板がディスプレイパネルの上部基板に設定され、前記ディスプレイパネルと一体化されて形成できる。
【００３１】
また、前記第１絶縁膜は、前記第１及び第２感知セルが形成されたタッチ活性領域に全面的に形成された無機絶縁膜に設定できる。
【発明の効果】
【００３２】
このような本発明によれば、第１感知セルまたは第２感知セルに接続され、自身と接続された感知セルに隣接する感知セルに向かう方向に延び、その端部が隣接する感知セルと重なるように形成される静電気誘導パターンを形成することにより、静電気によるタッチスクリーンパネルの駆動不良を防止することができる。
【図面の簡単な説明】
【００３３】
【図１】タッチスクリーンパネルの一例を概略的に示す平面図である。
【図２】本発明の一実施形態に係るタッチスクリーンパネルの感知セル、接続パターン及び静電気誘導パターンを示す平面図である。
【図３】図２のＩ−Ｉ’線及びＩＩ−ＩＩ’線方向に沿ったタッチスクリーンパネルの要部断面図である。
【図４】図２における静電気誘導パターンの変形された実施形態を示す平面図である。
【図５】図２における静電気誘導パターンの変形された実施形態を示す平面図である。
【図６】本発明の他の実施形態に係るタッチスクリーンパネルの感知セル、接続パターン及び静電気誘導パターンを示す平面図である。
【図７】本発明のさらに他の実施形態に係るタッチスクリーンパネルの感知セル、接続パターン及び静電気誘導パターンを示す平面図である。
【図８】図７における静電気誘導パターンの変形された実施形態を示す平面図である。
【図９】図７における静電気誘導パターンの変形された実施形態を示す平面図である。
【発明を実施するための形態】
【００３４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３５】
図１は、タッチスクリーンパネルの一例を概略的に示す平面図である。
【００３６】
図１を参照すると、タッチスクリーンパネルは、透明基板１０と、透明基板１０上のタッチ活性領域に形成された感知セル１２と、タッチ活性領域の外郭のタッチ非活性領域に形成され、感知セル１２をパッド部２０を介して外部の駆動回路と接続する外郭配線１５とを含む。
【００３７】
感知セル１２は、透明基板１０上のタッチ活性領域に分散して配置され、第１方向に沿って電気的に接続されるように形成された複数の第１感知セル１２ａと、第１感知セル１２ａと重ならないように第１感知セル１２ａの間に分散して配置され、第１方向と交差する第２方向に沿って電気的に接続されるように形成された複数の第２感知セル１２ｂとを含む。
【００３８】
すなわち、第１感知セル１２ａと第２感知セル１２ｂとは、互いに交互に配置され、互いに異なる方向に沿って接続される。例えば、第１感知セル１２ａは、行方向（水平方向）に沿って接続されるように形成され、行ライン単位で各々の外郭配線１５に接続され、第２感知セル１２ｂは、列方向（垂直方向）に沿って接続されるように形成され、列ライン単位で各々の外郭配線１５に接続できる。
【００３９】
このような第１感知セル１２ａ及び第２感知セル１２ｂは、下部に配置される表示パネル（図示せず）からの光が透過できるように、ＩＴＯのような透明電極物質で形成される。
【００４０】
一方、図１には、符号の表記なく単純なラインでのみ示されているが、透明基板１０上のタッチ活性領域には、第１方向に沿って複数配列され、第１感知セル１２ａを第１方向（例えば、行方向）に接続する第１接続パターンと、第２方向に沿って複数配列され、第２感知セル１２ｂを第２方向（例えば、列方向）に接続する第２接続パターンとがさらに形成される。このような接続パターンの実施形態及びこれに関するより詳細な説明は後述する。
【００４１】
外郭配線１５は、第１感知セル１２ａ及び第２感知セル１２ｂをそれぞれ第１方向及び第２方向に沿ったライン単位で外部の駆動回路と接続するためのもので、例えば、それぞれ行ライン単位及び列ライン単位の第１及び第２感知セル１２ａ、１２ｂと電気的に接続され、これらをパッド部２０を介して位置検出回路のような外部の駆動回路（図示せず）と接続する。
【００４２】
このような外郭配線１５は、映像が表示されるタッチ活性領域を避けてタッチスクリーンパネルの外郭のタッチ非活性領域に配置されるものであり、材料選択の幅が広く、感知セル１２の形成に用いられる透明電極物質のほか、モリブデン（Ｍｏ）、銀（Ａｇ）、チタン（Ｔｉ）、銅（Ｃｕ）、アルミニウム（Ａｌ）、モリブデン／アルミニウム／モリブデン（Ｍｏ／Ａｌ／Ｍｏ）などの低抵抗金属物質で形成できる。
【００４３】
前述したようなタッチスクリーンパネルは、静電容量方式のタッチスクリーンパネルであり、人の手またはスタイラスペンなどのような接触物体が接触すると、感知セル１２から外郭配線１５及びパッド部２０を経由して駆動回路（図示せず）側へ接触位置に応じた静電容量の変化が伝達される。すると、Ｘ及びＹ入力処理回路（図示せず）などによって静電容量の変化が電気的信号に変換されることにより、接触位置が把握される。
【００４４】
図２は、本発明の一実施形態に係るタッチスクリーンパネルの感知セル、接続パターン及び静電気誘導パターンを示す平面図であり、図３は、図２のＩ−Ｉ’線及びＩＩ−ＩＩ’線方向に沿ったタッチスクリーンパネルの要部断面図である。そして、図４及び図５は、図２における静電気誘導パターンの変形された実施形態を示す平面図である。
【００４５】
便宜上、図２、図４及び図５では、隣接する２つの第１感知セル１２ａ及びこれを接続する第１接続パターン１３ａと、隣接する２つの第２感知セル１２ｂ及びこれを接続する第２接続パターン１３ｂのみを示すものとする。しかし、実際のタッチスクリーンパネルは、図２などに示された構造がタッチ活性領域内に繰り返し配置される構造を有する。したがって、以下では、第１接続パターン１３ａ及び第２接続パターン１３ｂのすべてについて複数の形態で記載するものとする。
【００４６】
まず、図２及び図３を図１と結び付けて説明すると、本発明に係るタッチスクリーンパネルは、透明基板１０と、透明基板１０上のタッチ活性領域１０１にそれぞれ第１方向及び第２方向に沿って電気的に接続されるように形成された複数の第１感知セル１２ａ及び第２感知セル１２ｂと、第１感知セル１２ａを第１方向に沿って電気的に接続する複数の第１接続パターン１３ａ及び第２感知セル１２ｂを第２方向に沿って電気的に接続する複数の第２接続パターン１３ｂと、第１接続パターン１３ａと第２接続パターン１３ｂとの間に介在して絶縁性を確保する第１絶縁膜３０とを含む。
【００４７】
ここで、第１絶縁膜３０は、絶縁性が確保されなければならない構成要素の間に部分的に配置されてもよいが、図３に示すように、感知セル１２が形成されたタッチ活性領域１０１に全面的に形成されてもよい。
【００４８】
また、設計構造によっては、透明基板１０上に形成されたパターンを保護するために、タッチスクリーンパネルの上部に全面的に第２絶縁膜４０がさらに形成できる。
【００４９】
ここで、第１及び第２感知セル１２ａ、１２ｂと第１及び第２接続パターン１３ａ、１３ｂとが形成されるタッチ活性領域１０１は、一般的に、下部に配置されるディスプレイパネル（図示せず）の映像表示面と重なるように形成されるものであり、ディスプレイパネル側からの映像が可視化できるように透明に実現される。
【００５０】
このため、第１及び第２感知セル１２ａ、１２ｂは、ＩＴＯのような透明電極物質で形成され、第１及び／または第２接続パターン１３ａ、１３ｂは、第１及び第２感知セル１２ａ、１２ｂのような透明電極物質で形成されるか、あるいは不透明な低抵抗金属物質で形成され、可視化が防止できるようにその幅や厚さ、長さなどが調整可能である。
【００５１】
例えば、第１接続パターン１３ａは、低抵抗の不透明金属物質で形成され、第２接続パターン１３ｂは、第１及び第２感知セル１２ａ、１２ｂとともに透明電極物質で形成できる。
【００５２】
この場合、第１感知セル１２ａは、第２感知セル１２ｂの間に各々が分離されたパターンを有するように形成され、第１接続パターン１３ａにより第１方向に沿ったライン単位で接続できる。
【００５３】
このとき、第１接続パターン１３ａは、自身が接続する第１感知セル１２ａの上部または下部レイヤに分離されてパターニングされるが、図２に示すように、両側端部が第１絶縁膜３０に形成された第１コンタクトホールＣＨ１を介して隣接する第１感知セル１２ａに電気的に接続され、かつ、第１感知セル１２ａを第１方向に沿ったライン単位で接続することができる。
【００５４】
このような第１コンタクトホールＣＨ１は、１つの第１感知セル１２ａと１つの第１接続パターン１３ａとを接続するにあたり、１つ以上形成されるが、２つ以上に複数個ずつ形成され、コンタクト抵抗を低減することができるものであり、第１コンタクトホールＣＨ１の数は、コンタクト抵抗や視認性などを考慮して調整可能である。
【００５５】
ただし、本発明において、第１感知セル１２ａと第１接続パターン１３ａとが必ずしもコンタクトホールを介して接続されるべきではなく、第１絶縁膜を第１接続パターン１３ａ及び第２接続パターン１３ｂの交差部など、絶縁性が確保されるべき領域に局所的に形成する場合などには、直接的な接触により第１感知セル１２ａと第１接続パターン１３ａとが接続されてもよい。
【００５６】
一方、第２接続パターン１３ｂが透明電極物質で形成される場合、透明電極物質のパターニングステップから第２感知セル１２ｂ及び第２接続パターン１３ｂを第２方向に沿ったライン単位で一体にパターニングすることにより、工程を単純化することができる。
【００５７】
そして、第１接続パターン１３ａが低抵抗の不透明金属物質で形成される場合、タッチ非活性領域１０２に配置される外郭配線１５を形成するステップで第１接続パターン１３ａと外郭配線１５とを同時に形成することにより、工程をより単純化することができる。すなわち、第１接続パターン１３ａは、外郭配線１５と同じ物質で同一レイヤに形成できる。
【００５８】
ただし、低抵抗の不透明金属物質で形成される第１接続パターン１３ａの場合には、可視化が防止できるようにその幅が限定され、これにより、第１接続パターン１３ａの幅は、透明電極物質で形成される第２接続パターン１３ｂの幅より狭く形成される。また、第１接続パターン１３ａは、可視化がより効果的に防止できるように斜線方向に傾いて設計されてもよい。
【００５９】
すなわち、第１接続パターン１３ａは、視認性の側面を考慮して狭く設計されなければならないが、この場合、第１及び第２接続パターン１３ａ、１３ｂの交差部に集中される静電気により第１接続パターン１３ａに不良が発生しやすく、タッチスクリーンパネルの駆動不良をもたらすことがある。
【００６０】
そこで、本発明は、静電気によるタッチスクリーンパネルの駆動不良を防止するために導き出されたものであり、第１感知セル１２ａまたは第２感知セル１２ｂ（図２では、第１感知セル１２ａ）に電気的に接続され、自身が接続された感知セル１２ａに隣接する感知セル１２ｂに向かう方向に延び、その端部が隣接する感知セル１２ｂと重なるように形成された複数の静電気誘導パターン１４ａを形成することを特徴とする。このとき、静電気誘導パターン１４ａと隣接する感知セル１２ｂとの間には、安定性を確保するための第１絶縁膜３０が介在する。
【００６１】
このような静電気誘導パターン１４ａは、工程の単純化のために、第１接続パターン１３ａと同じ物質で同一レイヤに形成できる。
【００６２】
例えば、静電気誘導パターン１４ａは、第１接続パターン１３ａと一体化されて実現できるものであり、図２に示すように、第１接続パターン１３ａの一領域で分岐されて第１接続パターン１３ａと一体に形成できる。
【００６３】
特に、静電気誘導パターン１４ａは、第１接続パターン１３ａの第１コンタクトホールＣＨ１が形成された領域で分岐されて第１接続パターン１３ａと一体に形成されることにより、静電気を効果的に誘導することができる。
【００６４】
このとき、静電気誘導パターン１４ａも、第１接続パターン１３ａ及び外郭配線１５のように低抵抗の不透明金属物質で形成できるため、静電気誘導パターン１４ａも、第１接続パターン１３ａのように透明な第２接続パターン１３ｂの幅より狭い幅を有するように形成されることが好ましい。
【００６５】
このような静電気誘導パターン１４ａは、その端部が隣接する感知セル１２ｂと重なる。これにより、静電気誘導パターン１４ａと隣接する感知セル１２ｂとの間には静電容量が形成されるが、静電気誘導パターン１４ａによる静電容量は、第１及び第２接続パターン１３ａ、１３ｂの交差部で形成される静電容量に比べて相対的に小さく設計されることが好ましい。これにより、第１及び第２接続パターン１３ａ、１３ｂの交差部周辺で発生する静電気が静電気誘導パターン１４ａ側に効果的に誘導される。
【００６６】
このように、静電気誘導パターン１４ａ側に静電気が誘導されると、第１及び第２接続パターン１３ａ、１３ｂに対しては安定性を確保することができ、静電気誘導パターン１４ａに断線などの損傷が加えられても、これはタッチスクリーンパネルの駆動には影響を与えない。
【００６７】
前述したように、本発明によれば、第１感知セル１２ａまたは第２感知セル１２ｂに接続され（図２では、第１感知セル１２ａに接続される実施形態が示されている）、自身と接続された感知セル１２ａに隣接する感知セル１２ｂに向かう方向に延び、その端部が隣接する感知セル１２ｂと重なるように形成される静電気誘導パターン１４ａを形成することにより、静電気によるタッチスクリーンパネルの駆動不良を防止することができる。
【００６８】
すなわち、本発明は、不透明金属物質で形成される金属ブリッジパターン、すなわち、第１接続パターン１３ａと同一レイヤに同じ物質で形成され、第１または第２感知セル１２ａ、１２ｂに電気的に接続される静電気誘導パターン１４ａを形成することにより、静電気に強固な構造を有するタッチスクリーンパネルを提供する。
【００６９】
この場合、隣接する第１感知セル１２ａを接続するにあたり、１つの第１接続パターン１３ａのみを形成してもよいので、視認性の側面で有利である。
【００７０】
また、本発明に係るタッチスクリーンパネルは、第１及び第２感知セル１２ａ、１２ｂと第１及び第２接続パターン１３ａ、１３ｂのようなタッチ感知パターンをディスプレイパネル上に直接形成し、タッチスクリーンパネルとディスプレイパネルとを一体化する構造にも有用に適用可能である。
【００７１】
より具体的には、タッチスクリーンパネルの透明基板１０をディスプレイパネルの上部基板に設定し、ディスプレイパネルの上部基板の一面に第１及び第２感知セル１２ａ、１２ｂと第１及び第２接続パターン１３ａ、１３ｂなどのタッチ感知パターンを形成したタッチスクリーンパネル一体型ディスプレイパネルを提供することができるが、この場合、第１及び第２接続パターン１３ａ、１３ｂの間の第１絶縁膜３０の厚さが限定されてもよい。
【００７２】
例えば、ディスプレイパネルがフリットにより上下基板が密封される有機電界発光表示パネルなどに設定される場合、第１絶縁膜３０を厚い有機絶縁膜で形成する場合には、高温のフリット焼成温度によって有機絶縁膜が破れるおそれがあるため、これを無機絶縁膜に代替することができる。
【００７３】
すなわち、タッチスクリーンパネルの基材となる透明基板１０がディスプレイパネルの上部基板に設定され、タッチスクリーンパネルとディスプレイパネルとが一体化されて実現される場合、第１絶縁膜３０は、第１及び第２感知セル１２ａ、１２ｂと第１及び第２接続パターン１３ａ、１３ｂとが形成されたタッチ活性領域１０１に全面的に形成される無機絶縁膜に設計可能であるが、無機絶縁膜の場合には、膜ストレスによって有機絶縁膜に比べて厚さが限定される。
【００７４】
したがって、無機絶縁膜で実現された第１絶縁膜３０は、厚さが限定されることにより静電気に脆弱であり得るが、本発明のように静電気誘導パターン１４ａを形成すると、このような静電気への脆弱性が改善されるため、本発明に係るタッチスクリーンパネルは、ディスプレイパネルと一体化された構造に有用に適用可能である。
【００７５】
一方、図２では、第１接続パターン１３ａの両端でそれぞれ１枝（ｂｒａｎｃｈ）ずつの静電気誘導パターン１４ａが分岐されて形成されることを示しているが、本発明はこれに限定されるものではない。
【００７６】
すなわち、静電気誘導パターン１４ａは、第１接続パターン１３ａの一領域で２つ以上の枝に分岐されて第１接続パターン１３ａと一体に形成できるものであり、静電気誘導パターン１４ａが分岐される枝の数は多様に変更実施可能である。
【００７７】
例えば、図４に示すように、第１接続パターン１３ａの両端でそれぞれ２枝（ｂｒａｎｃｈ）に静電気誘導パターン１４ａ’が分岐されて形成されるか、図５に示すように、第１接続パターン１３ａの両端でそれぞれ３枝（ｂｒａｎｃｈ）に静電気誘導パターン１４ａ’’が分岐されて形成できることはもちろんである。これは、静電気誘導効果及び視認性の側面を考慮して適切に設計できる。
【００７８】
図６は、本発明の他の実施形態に係るタッチスクリーンパネルの感知セル、接続パターン及び静電気誘導パターンを示す平面図である。図６を説明するにあたり、図２と同一または類似の部分については同一の符号を付し、これに関する詳細な説明は省略する。
【００７９】
図６を参照すると、本実施形態に係る静電気誘導パターン１４ｂは、第１接続パターン１３ａと同一レイヤに配置されるが、第１接続パターン１３ａから分離されたパターンを有するように第１接続パターン１３ａと離隔して配置される。ただし、静電気誘導パターン１４ｂは、工程の便宜上、第１接続パターン１３ａと同じ物質で同時に形成できる。
【００８０】
このような静電気誘導パターン１４ｂは、第１接続パターン１３ａと第１感知セル１２ａとの接続部に隣接して配置できる。
【００８１】
この場合、静電気誘導パターン１４ｂと第１感知セル１２ａとを接続するための第２コンタクトホールＣＨ２の数は、第１接続パターン１３ａと第１感知セル１２ａとを接続するための第１コンタクトホールＣＨ１の数より多く設定できる。
【００８２】
より具体的には、第１接続パターン１３ａは、第１感知セル１２ａの上部または下部において、これらの間に介在した第１絶縁膜（図３の３０）に形成された第１コンタクトホールＣＨ１を介して第１感知セル１２ａに接続され、静電気誘導パターン１４ｂは、第１または第２感知セル１２ａ、１２ｂ（図６では、第１感知セル１２ａ）の上部または下部において、第１絶縁膜に形成された第２コンタクトホールＣＨ２を介して第１または第２感知セル１２ａ、１２ｂに電気的に接続される。
【００８３】
一方、図６では、静電気誘導パターン１４ｂがすべて第１感知セル１２ａに接続され、隣接する第２感知セル１２ｂと静電容量を形成するようにする一例を示しているが、本発明はこれに限定されるものではない。
【００８４】
すなわち、第１接続パターン１３ａと静電気誘導パターン１４ｂとが分離設計される場合、静電気誘導パターン１４ｂは、第２感知セル１２ｂに接続され、隣接する第１感知セル１２ａと静電容量を形成するように設計されてもよい。
【００８５】
また、第１感知セル１２ａに接続された静電気誘導パターン（第１静電気誘導パターン）と、第２感知セル１２ｂに接続された静電気誘導パターン（第２静電気誘導パターン）とをすべて形成することもできるが、この場合、Ｘ−ラインのみならず、Ｙ−ラインから入る静電気をすべて静電気誘導パターンに誘導することができる。
【００８６】
このとき、第１コンタクトホールＣＨ１及び第２コンタクトホールＣＨ２は隣接する領域に配置され、１つの第１または第２感知セル１２ａ、１２ｂと１つの静電気誘導パターン１４ｂとを接続する第２コンタクトホールＣＨ２の数は、１つの第１感知セル１２ａと１つの第１接続パターン１３ａとを接続する第１コンタクトホールＣＨ１の数より多く設定できる。
【００８７】
この場合、第１または第２感知セル１２ａ、１２ｂと静電気誘導パターン１４ｂとの間のコンタクト抵抗が、第１感知セル１２ａと第１接続パターン１３ａとの間のコンタクト抵抗より小さいため、第１及び第２コンタクトホールＣＨ１、ＣＨ２の周辺部で発生する静電気が静電気誘導パターン１４ｂにより効果的に誘導される。
【００８８】
ただし、第１接続パターン１３ａと静電気誘導パターン１４ｂとが隣接して配置される場合にも、これらが配置される領域及び離隔距離は、可視化の側面を考慮して設計されることが好ましく、特に、同一の画素の発光部に集中的に配置されないようにし、前記画素が暗点として認識されないように配置されることが好ましい。
【００８９】
図７は、本発明のさらに他の実施形態に係るタッチスクリーンパネルの感知セル、接続パターン及び静電気誘導パターンを示す平面図である。そして、図８及び図９は、図７における静電気誘導パターンの変形された実施形態を示す平面図である。図７乃至図９を説明するにあたり、前述した実施形態と同一または類似の部分については同一の符号を付し、これに関する詳細な説明は省略する。
【００９０】
まず、図７を参照すると、本実施形態に係るタッチスクリーンパネルは、第１接続パターン１３ａと一体に形成される一体型静電気誘導パターン１４ａ’のみならず、第１接続パターン１３ａと分離されて形成される分離型静電気誘導パターン１４ｂ’をすべて含む。
【００９１】
このとき、一体型静電気誘導パターン１４ａ’は、第１感知セル１２ａに接続され、第１感知セル１２ａが配列されるＸ−ライン側からの静電気を第２感知セル１２ｂとの間で発生するキャパシタ側に誘導する。
【００９２】
そして、分離型静電気誘導パターン１４ｂ’は、例えば、第２感知セル１２ｂに接続され、第２感知セル１２ｂが配列されるＹ−ライン側からの静電気を第１感知セル１２ａとの間で発生するキャパシタ側に誘導する。
【００９３】
すなわち、本実施形態では、片方向構造ではない、両方向に複数の静電気誘導パターン１４ａ’、１４ｂ’を形成することにより、静電気による駆動不良をより効果的に防止することができる。
【００９４】
このような本実施形態において、分離型静電気誘導パターン１４ｂ’は、その形成位置が比較的に自由であり、第１及び第２接続パターン１３ａ、１３ｂから所定距離以上離隔してタッチ活性領域内に均一に分散して配置できる。
【００９５】
例えば、分離型静電気誘導パターン１４ｂ’は、第１及び第２感知セル１２ａ、１２ｂ各々の接続部、すなわち、第１及び第２感知セル１２ａ、１２ｂの第１及び第２接続パターン１３ａ、１３ｂによって接続される端部と異なる端部に配置できる。
【００９６】
一方、分離型静電気誘導パターン１４ｂ’の場合、形成位置のみならず、接続される感知セル（１２ａまたは１２ｂ）及びその個数も多様に変更実施可能である。
【００９７】
例えば、図８に示すように、一体型静電気誘導パターン１４ａ’が第１接続パターン１３ａの両端でＸ軸からＹ軸方向への２つの静電気誘導パスを形成するとき、分離型静電気誘導パターン１４ｂ’は、四角に分散形成され、Ｙ軸からＸ軸方向への４つの静電気誘導パスを形成することができる。
【００９８】
また、図９に示すように、Ｘ軸からＹ軸方向への追加の静電気誘導パスを形成するように第１感知セル１２ａに接続され、第２感知セル１２ｂと静電容量を形成する分離型静電気誘導パターン１４ｂ’を追加に形成することもできることはもちろんである。
【００９９】
前述したような実施形態によれば、両方向に複数の静電気誘導パターン１４ａ’、１４ｂ’を形成することにより、静電気によるタッチスクリーンパネルの駆動不良をより効果的に防止することができる。
【０１００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０１】
１０；透明基板
１２（１２ａ、１２ｂ）；感知セル
１３（１３ａ、１３ｂ）；接続パターン
１４ａ、１４ａ’、１４ａ’’、１４ｂ、１４ｂ’；静電気誘導パターン
１５；外郭配線
２０；パッド部
３０、４０；絶縁膜
ＣＨ１、ＣＨ２；コンタクトホール
【図１】
0006022755.tif 000002
【図２】
0006022755.tif 000003
【図３】
0006022755.tif 000004
【図４】
0006022755.tif 000005
【図５】
0006022755.tif 000006
【図６】
0006022755.tif 000007
【図７】
0006022755.tif 000008
【図８】
0006022755.tif 000009
【図９】
0006022755.tif 000010